(57)【要約】【課題】記録紙サイズに合わせてガイド部材の取り付け位置を変更する際に、各記録紙サイズに対応したガイド部材の取り付け位置を容易に把握でき、ガイド部材を誤った位置に取り付けてしまうことを防止する。【解決手段】各記録紙サイズに対応させて、ネジ止部３６２ａ，挿通口３１１ａ及び挿入口３７２ａと、ネジ止部３６２ｂ，挿通口３１１ｂ及び挿入口３７２ｂと、ネジ止部３６２ｃ，挿通口３１１ｃ及び挿入口３７２ａとが設けられ、記録紙搬送方向及びこれに直交する方向の両方向において、他の記録紙サイズ用のネジ止部，挿通口及び挿入口とは異なる位置に配置されているので、各記録紙サイズに応じたガイド部材３４の取り付け位置が把握しやすくなる。【選択図】        図２
2004315190.tif 000002
【特許請求の範囲】
【請求項１】
記録紙が積載可能に収容され、収容された記録紙を画像形成装置本体部に給送する給紙装置であって、
積載された記録紙を、画像形成装置本体部への記録紙搬送位置に移動させるために上下動するリフト部と、
前記リフト部の上下移動を案内すると共に、前記リフト部に積載された記録紙に対して、その搬送方向に直交する方向における端部に当接するガイド部材と、
前記リフト部に積載される記録紙のサイズに合わせて取付位置を変更して前記ガイド部材が取り付けられる取付部とを備え、
前記取付部は、記録紙のサイズ毎に記録紙搬送方向及びこれに直交する方向の両方向において前記ガイド部材の取付位置を異ならせた複数の固定部からなることを特徴とする給紙装置。
【請求項２】
前記取付部は、各記録紙サイズ毎に、前記リフト部に積載された記録紙に対してその搬送方向における中央部付近に前記ガイド部材が当接する位置に設けられていることを特徴とする請求項１に記載の給紙装置。
【請求項３】
前記各記録紙サイズ毎に設けられている固定部は、当該給紙装置の側部上面に設けられて前記ガイド部材の上部がネジ止めされるネジ止部と、当該給紙装置の底部上面に設けられて前記ガイド部材の下部が挿入される挿入口とからなることを特徴とする請求項１又は請求項２に給紙装置。
【請求項４】
前記取付部の固定部として、前記ガイド部材が挿通する挿通口が前記リフト部に複数設けられ、これら挿通口は各記録紙サイズ毎に設けられた前記ネジ止部及び挿入口の位置に対応させて、前記記録紙サイズ毎に記録紙搬送方向及びこれに直交する方向の両方向において異なる位置に形成されていることを特徴とする請求項３に記載の給紙装置。
【請求項５】
請求項１乃至請求項４のいずれかに記載の給紙装置を備え、
この給紙装置から給送される記録紙に対して画像形成が行われることを特徴とする画像形成装置。
【発明の詳細な説明】
【０００１】
【発明の属する技術分野】
本発明は、大量の記録紙が収容され、収容された記録紙を画像形成装置本体部に給送する給紙装置に関する。
【０００２】
【従来の技術】
従来、コピー機やプリンタ等の画像形成装置には、大量の記録紙を収容して、画像形成装置本体部に給送する給紙装置が取り付け可能とされたものがある。図７に示すように、この給紙装置３’は、大量の記録紙が積載されるリフト部３１と、リフト部３１に積載された記録紙に対してその搬送方向に直交する方向の端部に当接し、この方向における記録紙の移動を規制するガイド部材３４とを有し、リフト部３１は記録紙の積載枚数に応じた移動量で上下動し、最上部に積載されている記録紙が画像形成装置本体部への搬送位置にくるように調整する。そして、ガイド部材３４は、サイズの異なる記録紙がリフト部に積載される場合であっても、各サイズの記録紙端部に当接可能となるように、各記録紙サイズに合わせて取り付け位置を変更できるようになっている。
【０００３】
上記各記録紙サイズ合わせたガイド部材３４の取付位置の変更のために、給紙装置３’の側壁３６の上面３６１には、各記録紙サイズに合わせて、記録紙搬送方向に直交する方向において位置を異ならせた複数のネジ止部３６２ａ’，３６２ｂ’，３６２ｃ’が設けられている。給紙装置３’の底面３７の挿入部３７１’には、ネジ止部３６２’に対応させた位置でガイド部材３４の下部が挿入可能とされた挿入口３７２ａ’，３７２ｂ’，３７２ｃ’が設けられている。リフト部３１には、ガイド部材３４が挿通される挿通口３１１ａ’，３１１ｂ’，３１１ｃ’が設けられており、この挿通口３１１ａ’，３１１ｂ’，３１１ｃ’のリフト部３１における位置も、ネジ止部３６２ａ’，３６２ｂ’，３６２ｃ’及び挿入口３７２ａ’，３７２ｂ’，３７２ｃ’の位置に合わせて形成されている。これにより、記録紙の各サイズに合わせてガイド部材３４の取り付け位置を変更して固定し、リフト部３１に積載されている各サイズの記録紙端部にガイド部材３４を当接させることができるようになっている。
【０００４】
【発明が解決しようとする課題】
しかしながら、上記従来の給紙装置３’の場合、記録紙の各サイズ毎に設けられているネジ止部３６２ａ’，３６２ｂ’，３６２ｃ’、挿通口３１１ａ’，３１１ｂ’，３１１ｃ’及び挿入口３７１ａ’，３７１ｂ’，３７１ｃ’は、記録紙の搬送方向に直交する方向に並列的に設けられているため、各記録紙サイズに対応したネジ止部、挿通口及び挿入口がどれであるのかが把握し難い。そのため、ガイド部材３４を取り付けていたネジ止部の位置を変更した際に、このガイド部材３４を取り付けたネジ止部に対応していない挿通口や挿入口に、ガイド部材３４の下部を誤って取り付けてしまうことがある。このように、挿通口又は挿入口を誤って取り付けてしまうと、リフト部３１が上下動した時に、挿通口の縁部にガイド部材３４が接触してリフト部３１の上下移動が妨げられ、リフト部３１の駆動機構を構成するモータ、ギア及びワイヤ等に負担がかかり、これらが破損する要因になる。
【０００５】
本発明は、上述した問題点を解決するためになされたものであり、サイズに合わせてガイド部材の取り付け位置を変更する際に、各記録紙サイズに対応したガイド部材の取り付け位置を容易に把握でき、ガイド部材を誤った位置に取り付けてしまうことを防止する給紙装置及び画像形成装置を提供することを目的とする。
【０００６】
【課題を解決するための手段】
上記目的を達成するために請求項１に記載の発明は、記録紙が積載可能に収容され、収容された記録紙を画像形成装置本体部に給送する給紙装置であって、
積載された記録紙を、画像形成装置本体部への記録紙搬送位置に移動させるために上下動するリフト部と、
前記リフト部の上下移動を案内すると共に、前記リフト部に積載された記録紙に対して、その搬送方向に直交する方向における端部に当接するガイド部材と、
前記リフト部に積載される記録紙のサイズに合わせて取付位置を変更して前記ガイド部材が取り付けられる取付部とを備え、
前記取付部は、記録紙のサイズ毎に記録紙搬送方向及びこれに直交する方向の両方向において前記ガイド部材の取付位置を異ならせた複数の固定部からなるものである。
【０００７】
この構成によれば、ガイド部材の取付部を構成する複数の固定部が、各記録紙サイズに応じて、記録紙搬送方向及びこれに直交する方向の両方向において異なる位置に設けられているので、従来のように複数の固定部が記録紙搬送方向に直交する方向にのみ取付位置を異ならせて並列的に設けられている場合よりも、各記録紙サイズに対応したガイド部材の取付位置を容易に把握できる。従って、各記録紙サイズに応じてガイド部材の取付位置を変更する際の作業効率が向上すると共に、ガイド部材を誤った位置に取り付けることを防止できる。これにより、各記録サイズに対応した取付位置を誤ってガイド部材を取り付けて場合に生じる、リフト部の上下動に支障が生じて給紙装置が破損するという事態を回避することが可能になる。
【０００８】
また、請求項２に記載の発明は、請求項１に記載の給紙装置であって、前記取付部は、各記録紙サイズ毎に、前記リフト部に積載された記録紙に対してその搬送方向における中央部付近に前記ガイド部材が当接する位置に設けられているものである。
【０００９】
この構成によれば、ガイド部材の取付部が、各記録紙サイズ毎に、前記ガイド部材が記録紙に対してその搬送方向における中央部付近で当接する位置に設けられているので、各サイズの記録紙の搬送時において、記録紙搬送方向に直交する方向への記録紙先端部及び後端部の移動を効率良く抑制して、搬送時における記録紙のばたつき（ブレ）を極力少なくすることができる。
【００１０】
また、請求項３に記載の発明は、請求項１又は請求項２に給紙装置であって、前記各記録紙サイズ毎に設けられている固定部は、当該給紙装置の側部上面に設けられて前記ガイド部材の上部がネジ止めされるネジ止部と、当該給紙装置の底部上面に設けられて前記ガイド部材の下部が挿入される挿入口とからなるものである。
【００１１】
この構成によれば、取付部の固定部が、ガイド部材の上部がネジ止めされるネジ止部と、ガイド部材の下部が挿入される挿入口とからなるので、ガイド部材の上部を、ある記録紙サイズ用のネジ止部に固定すると、当該ネジ止部に対応させて設けられた挿入口だけにガイド部材の下部が挿入可能となり、他の記録紙サイズ用の挿入口には当該ガイド部材の下部を挿入できないことになる。当該ネジ止部に対応する挿入口は、他の記録紙サイズ用の挿入口に対して記録紙搬送方向及びこれに直交する方向に位置が異なるので、当該ガイド部材が固定されたネジ止部に対応する挿入口にしか、物理的にガイド部材の下部を挿入できないためである。これにより、ガイド部材を取り付ける位置を間違えるという事態をより確実に防止することができる。
【００１２】
また、請求項４に記載の発明は、請求項３に記載の給紙装置であって、前記取付部の固定部として、前記ガイド部材が挿通する挿通口が前記リフト部に複数設けられ、これら挿通口は各記録紙サイズ毎に設けられた前記ネジ止部及び挿入口の位置に対応させて、前記記録紙サイズ毎に記録紙搬送方向及びこれに直交する方向の両方向において異なる位置に形成されているものである。
【００１３】
この構成によれば、リフト部には、複数の固定部の各々に対応させて、記録紙サイズ毎に記録紙搬送方向及びこれに直交する方向の両方向において位置を異ならせた挿通口が設けられているので、ある記録紙サイズ用のネジ止部及び挿入口にガイド部材を取り付けた場合は、これらに対応する位置の挿通口にしかガイド部材を挿通させることができないことになる。これにより、ガイド部材を挿通させる挿通口を間違えるという事態を確実に防止でき、リフト部の上下動に支障が生じて給紙装置が破損するという事態を回避することができる。
【００１４】
また、請求項５に記載の発明は、請求項１乃至請求項４のいずれかに記載の給紙装置を備え、
この給紙装置から給送される記録紙に対して画像形成が行われることを特徴とする画像形成装置である。
【００１５】
この構成によれば、給紙装置においてガイド部材の取付部を構成する複数の固定部が、各記録紙サイズに応じて、記録紙搬送方向及びこれに直交する方向の両方向において異なる位置に設けられているので、従来のように複数の固定部が記録紙搬送方向に直交する方向にのみ取付位置を異ならせて並列的に設けられている場合よりも、各記録紙サイズに対応したガイド部材の取付位置を容易に把握できる。従って、各記録紙サイズに応じてガイド部材の取付位置を変更する際の作業効率が向上すると共に、ガイド部材を誤った位置に取り付けることを防止できる。これにより、各記録サイズに対応した取付位置を誤ってガイド部材を取り付けて場合に生じる、リフト部の上下動に支障が生じて給紙装置が破損するという事態を回避することが可能になる。
【００１６】
【発明の実施の形態】
以下、本発明に係る実施形態を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものである。複合機１は、画像形成部３００を備えた本体部２と、本体部２の側部に設置された給紙装置３と、給紙装置３が設置されている側とは他方の側部に設置されているフィニッシャー６とからなる。
【００１７】
本体部２には、本体部２の下部に配設された給紙部１００と、この給紙部１００の側方及び上方に配設された用紙搬送部２００と、この用紙搬送部２００の上方に配設された画像形成部３００と、この画像形成部３００よりも排出側に配設された定着部４００と、これら画像形成部３００及び定着部４００の上方に配設された画像読取部５００が備えられている。
【００１８】
画像読取部５００は、コンタクトガラス５０１上に載置された原稿に、露光ランプから光を照射し、その反射光を反射鏡を介してＣＣＤラインセンサ等からなる光電変換部に導くことにより、原稿の画像情報を読み取るものである。
【００１９】
上記画像情報が画像形成部３００の露光ユニット３０３に伝えられ、帯電ユニット３０２によって表面が帯電された感光体ドラム３０１表面が露光される。そして、現像ユニット３０４から感光体ドラム３０１表面にトナーが供給され、転写ユニット３０５によって感光体ドラム３０１表面上のトナー画像が記録紙に転写される。トナー画像転写後の感光体ドラム３０１表面はクリーナー３０６及びび除電ユニット３０７によって次の画像形成に備えられる。トナー画像が転写された記録紙は、定着部４００の加熱ローラ４０１と加圧ローラ４０２によって加圧及び加熱されてトナー画像が定着される。
【００２０】
給紙部１００は、給紙カセット１１１に積層載置された記録紙の束を、給紙ローラ１１２の回転動作によって最上位置の記録紙から１枚ずつ用紙搬送部２００に給紙するものである。用紙搬送部２００は、給紙部１００から給紙された記録紙を、各種ローラ対２０２，２０３によって画像形成部３００に搬送し、さらに画像形成部３００から定着部４００において画像形成がなされた記録紙を排出ローラ対２０５によって排出トレイ２０４上に排出するようになっている。なお、両面印刷時には、記録紙はスイッチバック部２０６によって画像転写面が反転された後に、再び画像形成部３００に搬送される。
【００２１】
本発明に係る給紙装置３は、大量の記録紙を収容し、本体部２の画像形成部３００に向けて記録紙を給送するものである。給紙装置３内では、大量の記録紙が積載されるリフト部３１が上下移動し、積載された記録紙の最上部が捌きローラ３２及び搬送ローラ対３３が配設された本体部２への記録紙搬送位置にくるように調整して、捌きローラ３２及び搬送ローラ対３３によって記録紙を本体部２側に搬送するようになっている。
【００２２】
フィニッシャー６は、上記本体部２の排出ローラ対２０５から搬送されてきた記録紙に対して、パンチ処理及びステイプル処理等の後処理や、記録紙を中央で折りたたんでブック綴じするブック綴じ処理等を行った後、記録紙を排出トレイ６２２、６２３、６２４に排出するものである。
【００２３】
給紙装置３の構成について詳細に説明する。図２は給紙装置３の概略構成を示す斜視図である。給紙装置３は、外枠ケース３５で覆われ、その一部をなす開閉自在な扉部３５１から給紙装置３内に記録紙が出し入れ可能とされている。扉部３５１は、取手部３５１ａに指を差し入れて押し引きすることで開閉される。この扉部３５１とは反対側の側部が複合機１の本体部２側に取り付けられる。外枠ケース３５内には、大量の記録紙が積載されて上下動可能なリフト部３１と、リフト部３１の上下移動を案内するガイド部材３４とが備えられる。このリフト部３１は図略の駆動機構によって上下動し、リフト部３１に積載された記録紙の最上部が、捌きローラ３２及び搬送ローラ対３３（図１）の配設されている記録紙搬送位置に常にくるように調整される。この記録紙搬送位置において、捌きローラ３２によって記録紙が１枚ずつ抜き出され、搬送ローラ対３３によって本体部２側に搬送される。
【００２４】
ガイド部材３４は、外枠ケース３５内に設けられた両方の側壁３６及び底面３７に取り付けられる。ガイド部材３４の上部３４１は、側壁３６の上面３６１に設けられているネジ止部３６２（ネジ止部３６２ａ、３６２ｂ、３６２ｃからなる）に取り付けられる。このネジ止め部３６２は、リフト部３１に積載される記録紙の各サイズに応じて、ガイド部材３４の取り付け位置を変更できるように、各記録紙サイズに合わせて複数設けられている。ガイド部材３４の下部３４２は、底面３７の挿入部３７１に設けられている挿入口３７２（挿入口３７２ａ、３７２ｂ、３７２ｃ）に取り付けられる。
【００２５】
リフト部３１には、側壁３６側の両側端部近傍に、ガイド部材３４が挿通される挿通口３１１（挿通口３１１ａ、３１１ｂ、３１１ｃからなる）が形成されている。この挿通口３１１により、ガイド部材３４によるリフト部３１の上下同時の案内と、ガイド部材３４をリフト部３１に干渉させずに側壁３６及び底面３７から取り外すことができるようになっている。挿通口３１１は、各記録紙サイズに応じて位置変更されるガイド部材３４の位置に対応させて位置決めされている。
【００２６】
図３はガイド部材３４を側壁３６のネジ止部３６２に取り付けた状態を示す部分拡大図である。なお、以下の図３乃至図６は、図２に示す給紙装置３の左側に配設されている側壁３６、ガイド部材３４、挿入部３７１等を示している。側壁３６の上面３６１には、リフト部３１に積載される記録紙のサイズに応じて、側壁３６に対するガイド部材３４の取り付け位置を変更できるように、複数のネジ止部３６２ａ、３６２ｂ、３６２ｃが設けられている。例えば、リフト部３１に積載可能な記録紙がＢ５、Ａ４、Ｂ４の３種類である場合であり、ネジ止部３６２ａがＢ５用、ネジ止部３６２ｂがＡ４用、ネジ止部３６２ｃがＢ４用であるとすると、ネジ止部３６２にガイド部材３４を取り付けた時に、リフト部３１に積載されている各サイズの記録紙に対して、その搬送方向における略中央部でガイド部材３４が当接するように、各ネジ止部３６２ａ、３６２ｂ、３６２ｃの記録紙搬送方向におけるそれぞれの位置が設定されている。
【００２７】
また、各ネジ止部３６２ａ、３６２ｂ、３６２ｃの記録紙搬送方向に直交する方向における位置は、ネジ止部３６２にガイド部材３４を取り付けた時に、ガイド部材３４が、リフト部３１に積載された記録紙に対して、その搬送方向に直交する方向における側端部に当接するように設定されている。
【００２８】
このようにして、各記録紙サイズに合わせて配置されたネジ止部３６２ａ、３６２ｂ、３６２ｃは、互いに記録紙搬送方向及びこれに直交する方向の両方向において異なる位置に設けられることになる。これにより、各記録紙サイズに合わせてガイド部材３４の側壁３６に対する取り付け位置を変更する際に、記録紙サイズに対応するネジ止部がいずれであるのかを把握しやすい。また、リフト部３１に積載される記録紙のサイズに合わせて、記録紙搬送方向における記録紙の略中央部で記録紙に当接するので、捌きローラ３２によって記録紙が取り出されて搬送ローラ対３３によって搬送される時に、記録紙の先端部及び後端部がその搬送方向に直交する方向に動くことを的確に抑制して、搬送時における記録紙のばたつき（ぶれ）を防止できる。また、各記録紙サイズに応じて、記録紙搬送方向に直交する方向における記録紙側端部で記録紙に当接するので、この方向への記録紙の移動を的確に規制することができる。
【００２９】
図４はガイド部材３４をリフト部３１の挿通口３１１に挿通させた状態を示す部分拡大図である。上述したように、各記録紙サイズに応じてガイド部材３４の側壁３６に対する取り付け位置を変更すると、ガイド部材３４の取り付け位置が、記録紙搬送方向及びこれに直交する方向に変更されるので、この位置変更されたガイド部材３４のリフト部３１への挿通を可能にするために、リフト部３１には、上記各記録紙サイズ用のネジ止部３６２ａ、３６２ｂ、３６２ｃに対応させて、順に挿通口３１１ａ、３１１ｂ、３１１ｃが形成されている。
【００３０】
挿通口３１１ａ、３１１ｂ、３１１ｃは、リフト部３１の記録紙搬送方向に直交する方向における両側端部近傍に、各ネジ止部３６２ａ、３６２ｂ、３６２ｃに取り付けたガイド部材３４の位置にそれぞれ対応させた位置に形成されている。よって、各挿通口３１１ａ、３１１ｂ、３１１ｃは、記録紙サイズ毎に記録紙搬送方向及びこれに直交する方向に異なることになるため、それぞれに対応する位置に設けられたネジ止部３６２ａ、３６２ｂ、３６２ｃに取り付けられたガイド部材３４しか挿通することができず、ガイド部材３４を誤って他の記録紙サイズ用の挿通口に挿通させてしまうという事態が生じ難い。
【００３１】
図５は底面３７の挿入部３７１を示す斜視図である。底面３７の挿入部３７１には、ネジ止部３６２ａ、３６２ｂ、３６２ｃに取り付けられた状態のガイド部材３４のそれぞれの位置に対応させて、順に挿入口３７２ａ、３７２ｂ、３７２ｃが形成されている。よって、各挿入口３７２ａ、３７２ｂ、３７２ｃは、記録紙サイズ毎に記録紙搬送方向及びこれに直交する方向に異なることになり、それぞれに対応するネジ止部３６２ａ、３６２ｂ、３６２ｃに取り付けられたガイド部材３４しか挿通できないので、ガイド部材３４を誤って他の挿入口に挿入させてしまうという事態が生じない。
【００３２】
図６は、ネジ止部３６２ａ，３６２ｂ，３６２ｃ、挿通口３１１ａ，３１１ｂ，３１１ｃ及び挿入口３７２ａ，３７２ｂ，３７２ｃの位置関係を模式的に示した図である。記録紙サイズＡ４用のネジ止部３６２ｂは、Ａ４の記録紙サイズに合わせたため、図６では、記録紙サイズＢ５用のネジ止部３６２ａよりも記録紙搬送方向に直交する方向において外側に配置され、記録紙搬送方向においてはネジ止部３６２ａよりも下側に配置される。このネジ止部３６２ｂに対応させて設けられている記録紙サイズＡ４用の挿通口３１１ｂも、図６では、記録紙サイズＢ５用の挿通口３１１ａよりも記録紙搬送方向に直交する方向において外側に配置され、記録紙搬送方向においては挿通口３１１ａよりも下側に配置される。
【００３３】
さらに、ネジ止部３６２ｂ及び挿通口３１１ｂに対応させて設けられている記録紙サイズＡ４用の挿入口３７２ｂも、図６では、記録紙サイズビＢ５用の挿入口３７２ａよりも記録紙搬送方向に直交する方向において外側に配置され、記録紙搬送方向においては挿入口３７２ａよりも下側に配置される。また、記録紙サイズＢ４用のネジ止部３６２ｃ、挿通口３１１ｃ及び挿入口３７２ｃも同様に、図６では、記録紙サイズＡ４用のネジ止部３６２ｂ、挿通口３１１ｂ及び挿入口３７１ｂよりも外側であって、記録紙長さ方向において下方向に移動させた位置に配置される。
【００３４】
なお、上記ネジ止部３６２、挿通口３１１及び挿入口３７２が特許請求の範囲でいう取付部に相当する。また、ネジ止部３６２ａ，挿通口３１１ａ及び挿入口３７２ａの組み合わせと、ネジ止部３６２ｂ，挿通口３１１ｂ及び挿入口３７２ｂの組み合わせと、ネジ止部３６２ｃ，挿通口３１１ｃ及び挿入口３７２ａの組み合わせのそれぞれが特許請求の範囲でいう固定部に相当する。
【００３５】
このように、本実施形態の給紙装置３によれば、各記録紙サイズに対応させて、ネジ止部３６２ａ，挿通口３１１ａ及び挿入口３７２ａと、ネジ止部３６２ｂ，挿通口３１１ｂ及び挿入口３７２ｂと、ネジ止部３６２ｃ，挿通口３１１ｃ及び挿入口３７２ａとが設けられ、記録紙搬送方向及びこれに直交する方向の両方向において、他の記録紙サイズ用のネジ止部，挿通口及び挿入口とは異なる位置に配置されているので、各記録紙サイズに応じたガイド部材３４の取り付け位置が把握しやすくなる。これにより、各記録紙サイズに応じてガイド部材３４の取付位置を変更する際の作業効率が向上する。
【００３６】
また、ガイド部材３４の上部３４１を、例えば、記録紙サイズＢ５用のネジ止部３６２ａに固定すると、当該ネジ止部３６２ａに対応する挿通口３１１ａ及び挿入口３７２ａにしか、ガイド部材３４を挿通又は挿入させることができず、他の記録紙サイズ用の挿通口３１１ｂ，３１１ｃ及び挿入口３７２ｂ，３７２ｃにはガイド部材３４を挿通又は挿入できないことになるため、ガイド部材３４を挿通又は挿入すべき挿通口及び挿入口を間違えるという事態をより確実に防止することができる。
【００３７】
本発明は上記実施の形態の構成に限られず種々の変形が可能である。例えば、上記実施の形態では、記録紙サイズＢ５、Ａ４、Ｂ４用に、それぞれネジ止部３６２、挿通口３１１及び挿入口３７２が設けられているが、他の記録紙サイズ（例えば、Ａ４横やＡ３等）用のネジ止部３６２、挿通口３１１及び挿入口３７２が更に設けられていても構わない。また、記録紙サイズＢ５，Ａ４，Ｂ４用のネジ止部３６２、挿通口３１１及び挿入口３７２に代えて、他の記録紙サイズを設けるようにしてもよいことは勿論である。これらの場合にも、各記録紙サイズに応じて、ガイド部材３４が、記録紙搬送方向における記録紙の略中央部や、記録紙搬送方向に直交する方向における記録紙の側端部で記録紙に当接するように、ネジ止部、挿通口及び挿入口の位置を設定することが好ましい。
【００３８】
また、上記実施形態では、本発明に係る画像形成装置を複合機１として説明しているが、コピー機能、プリンタ機能及びファクシミリ機能等のいずれか単一の機能のみを備えた画像形成装置であっても構わない。
【００３９】
【発明の効果】
以上のように請求項１に記載の発明によれば、ガイド部材の取付部を構成する複数の固定部が、各記録紙サイズに応じて、記録紙搬送方向及びこれに直交する方向の両方向において異なる位置に設けられているので、従来のように複数の固定部が記録紙搬送方向に直交する方向にのみ取付位置を異ならせて並列的に設けられている場合よりも、各記録紙サイズに対応したガイド部材の取付位置を容易に把握できる。従って、各記録紙サイズに応じてガイド部材の取付位置を変更する際の作業効率が向上すると共に、ガイド部材を誤った位置に取り付けることを防止できる。これにより、各記録サイズに対応した取付位置を誤ってガイド部材を取り付けて場合に生じる、リフト部の上下動に支障が生じて給紙装置が破損するという事態を回避することが可能になる。
【００４０】
また、請求項２に記載の発明によれば、ガイド部材の取付部が、各記録紙サイズ毎に、前記ガイド部材が記録紙に対してその搬送方向における中央部付近で当接する位置に設けられているので、各サイズの記録紙の搬送時において、記録紙搬送方向に直交する方向への記録紙先端部及び後端部の移動を効率良く抑制して、搬送時における記録紙のばたつき（ブレ）を極力少なくすることができる。
【００４１】
また、請求項３に記載の発明によれば、取付部の固定部が、ガイド部材の上部がネジ止めされるネジ止部と、ガイド部材の下部が挿入される挿入口とからなるので、ガイド部材の上部を、ある記録紙サイズ用のネジ止部に固定すると、当該ネジ止部に対応させて設けられた挿入口だけにガイド部材の下部が挿入可能となり、他の記録紙サイズ用の挿入口には当該ガイド部材の下部を挿入できないことになる。当該ネジ止部に対応する挿入口は、他の記録紙サイズ用の挿入口に対して記録紙搬送方向及びこれに直交する方向に位置が異なるので、当該ガイド部材が固定されたネジ止部に対応する挿入口にしか、物理的にガイド部材の下部を挿入できないためである。これにより、ガイド部材を取り付ける位置を間違えるという事態をより確実に防止することができる。
【００４２】
また、請求項４に記載の発明によれば、リフト部には、複数の固定部の各々に対応させて、記録紙サイズ毎に記録紙搬送方向及びこれに直交する方向の両方向において位置を異ならせた挿通口が設けられているので、ある記録紙サイズ用のネジ止部及び挿入口にガイド部材を取り付けた場合は、これらに対応する位置の挿通口にしかガイド部材を挿通させることができないことになる。これにより、ガイド部材を挿通させる挿通口を間違えるという事態を確実に防止でき、リフト部の上下動に支障が生じて給紙装置が破損するという事態を回避することができる。
【００４３】
また、請求項５に記載の発明によれば、給紙装置においてガイド部材の取付部を構成する複数の固定部が、各記録紙サイズに応じて、記録紙搬送方向及びこれに直交する方向の両方向において異なる位置に設けられているので、従来のように複数の固定部が記録紙搬送方向に直交する方向にのみ取付位置を異ならせて並列的に設けられている場合よりも、各記録紙サイズに対応したガイド部材の取付位置を容易に把握できる。従って、各記録紙サイズに応じてガイド部材の取付位置を変更する際の作業効率が向上すると共に、ガイド部材を誤った位置に取り付けることを防止できる。これにより、各記録サイズに対応した取付位置を誤ってガイド部材を取り付けて場合に生じる、リフト部の上下動に支障が生じて給紙装置が破損するという事態を回避することが可能になる。
【図面の簡単な説明】
【図１】本発明の一実施形態に係る画像形成装置の一例である複合機の内部構成を概略的に示す側面図である。
【図２】給紙装置の概略構成を示す斜視図である。
【図３】ガイド部材を側壁の取付部に取り付けた状態を示す部分拡大図である。
【図４】ガイド部材をリフト部の挿通口に挿通させた状態を示す部分拡大図である。
【図５】底面の挿入部を示す斜視図である。
【図６】（ａ）（ｂ）はネジ止部、挿通口及び挿入口の位置関係を模式的に示した図である。
【図７】従来の給紙装置の概略構成を示す斜視図である。
【符号の説明】
１      複合機
３      給紙装置
３１    リフト部
３１１  挿通口
３１１ａ，３１１ｂ，３１１ｃ  挿通口
３４    ガイド部材
３５    外枠ケース
３６    側壁
３６１  上面
３６２  ネジ止部
３６２ａ，３６２ｂ，３６２ｃ  ネジ止部
３７    底面
３７１  挿入部
３７２  挿入口
３７２ａ，３７２ｂ，３７２ｃ  挿入口
【図１】
2004315190.tif 000003
【図２】
2004315190.tif 000004
【図３】
2004315190.tif 000005
【図４】
2004315190.tif 000006
【図５】
2004315190.tif 000007
【図６】
2004315190.tif 000008
【図７】
2004315190.tif 000009